(57)【要約】【課題】従来の錠前装置の使用感及びセキュリティ強度を保ったまま、利便性を向上させることを課題とする。【解決手段】、鍵穴２１を有し、外筒３０内で回転することで解錠を行う内筒２０と、鍵穴２１に挿入される鍵１０の有する複数の鍵溝１２に対応するスロット２２のうち一部のスロット２２に設けられ、鍵１０が挿入されていないときに外筒３０と係合するとともに、鍵１０が挿入されたときに鍵１０の有する鍵溝１２によって押圧されることで鍵溝１２の形状に応じて移動し、外筒３０との係合を解除する１番から３番タンブラー４０と、１番から３番タンブラー４０が設けられた一部のスロット２２を除くスロット２２に設けられ、鍵１０が挿入されたときに鍵１０の有する鍵溝１２の形状に拘わらず外筒３０と係合しない０番タンブラー５０と、を備える錠前装置とした。【選択図】図２
2008057167.tif 000002
【特許請求の範囲】
【請求項１】
鍵穴を有し、外筒内で回転することで解錠を行う内筒と、
前記鍵穴に挿入される鍵の有する複数の鍵溝に対応する鍵溝読取位置のうち一部の鍵溝読取位置に設けられ、前記鍵が挿入されていないときに前記外筒と係合するとともに、前記鍵が挿入されたときに該鍵の有する鍵溝によって押圧されることで該鍵溝の形状に応じて移動し、前記外筒との係合を解除する係合手段と、
前記係合手段が設けられた一部の鍵溝読取位置を除く鍵溝読取位置に設けられ、前記鍵が挿入されたときに該鍵の有する鍵溝の形状に拘わらず前記外筒と係合しない非係合保持手段と、
を備える錠前装置。
【請求項２】
前記係合手段は、弾性部材によって付勢されることで、前記鍵が挿入されていないときに前記外筒と係合するとともに、前記鍵が挿入されたときに該鍵の有する鍵溝によって前記弾性部材による付勢の方向と反対方向に押圧されることで該鍵溝の形状に応じて移動し、前記外筒との係合を解除するタンブラーであり、
前記非係合保持手段は、前記鍵が挿入されていないときに前記外筒と係合しない状態であり、前記鍵が挿入されたときに該鍵の有する鍵溝の形状に拘わらず該鍵溝による押圧を受けないことで移動せず、前記外筒と係合しない状態を保持する擬似タンブラーである、
請求項１に記載の錠前装置。
【請求項３】
前記係合手段は、弾性部材によって付勢されることで、前記鍵が挿入されていないときに前記外筒と係合するとともに、前記鍵が挿入されたときに該鍵の有する鍵溝によって前記弾性部材による付勢の方向と反対方向に押圧されることで該鍵溝の形状に応じて移動し、前記外筒との係合を解除するタンブラーであり、
前記非係合保持手段は、弾性部材によって付勢されることで、前記鍵が挿入されていないときに前記外筒と係合するとともに、前記鍵が挿入されたときに該鍵の有する鍵底部又はガイド溝によって前記弾性部材による付勢の方向と反対方向に押圧されることで移動し、前記外筒との係合を解除する擬似タンブラーである、
請求項１に記載の錠前装置。
【請求項４】
前記係合手段は、弾性部材によって付勢されることで、前記鍵が挿入されていないときに前記外筒と係合するとともに、前記鍵が挿入されたときに該鍵の有する鍵溝によって前記弾性部材による付勢の方向と反対方向に押圧されることで該鍵溝の形状に応じて移動し、前記外筒との係合を解除するタンブラーであり、
前記非係合保持手段は、前記タンブラーと同等の構成を有するタンブラーが設けられていないことで、前記鍵が挿入されていないときに前記外筒と係合しない状態であり、前記鍵が挿入されたときに該鍵の有する鍵溝の形状に拘わらず該鍵溝による押圧を受けないことで移動せず、前記外筒と係合しない状態を保持する、
請求項１に記載の錠前装置。
【請求項５】
前記内筒の側面に設けられた係止溝と、
鍵穴に挿入された内筒交換用鍵によって押圧されることで前記内筒から外筒方向へ前記係止溝内を移動する移動体と、
を更に備え、
前記内筒は、前記内筒交換用鍵が挿入されていない状態で、外筒に備えられた係止片が前記係止溝内に入ることによって外筒から取り外し不可能であり、前記内筒交換用鍵が挿入されている状態で、該内筒交換用鍵によって押圧されて移動した前記移動体によって前記係止片が係止溝から押し出されることで、外筒から取り外し可能であること
を特徴とする請求項１から請求項４の何れかに記載の錠前装置。
【請求項６】
鍵穴を有し、外筒内で回転することで解錠を行う内筒と、前記鍵穴に挿入される鍵の有する複数の鍵溝に対応する鍵溝読取位置に設けられ、前記鍵が挿入されていないときに前記外筒と係合するとともに、前記鍵が挿入されたときに該鍵の有する鍵溝によって押圧されることで該鍵溝の形状に応じて移動し、前記外筒との係合を解除する係合手段と、を備える第一の錠前装置を有し、施錠によってアクセスが制限される第一のアクセス制限対象と、
請求項１から請求項５の何れかに記載の錠前装置であって、前記第一の錠前装置の備える前記係合手段が設けられた鍵溝読取位置と対応する鍵溝読取位置のうち一つ以上に前記非係合保持手段が設けられた第二の錠前装置を有し、施錠によってアクセスが制限される第二のアクセス制限対象と、
を備え、
前記第二の錠前装置の備える係合手段と、前記第一の錠前装置の備える係合手段のうち前記第二の錠前装置の備える係合手段が設けられた鍵溝読取位置と対応する鍵溝読取位置に設けられた係合手段とが、同一の形状の鍵溝によって係合を解除することが可能な係合手段であること
を特徴とするアクセス権管理システム。
【請求項７】
前記第一のアクセス制限対象は個人用の収納庫であり、
前記第二のアクセス制限対象は共用の収納庫であり、
前記第二の錠前装置の備える係合手段と、前記第一の錠前装置の備える係合手段のうち前記第二の錠前装置の備える係合手段が設けられた鍵溝読取位置と対応する鍵溝読取位置に設けられた係合手段とが、同一の形状の鍵溝によって係合を解除することが可能な係合手段であることで、前記個人用の収納庫にアクセス可能な複数の異なる鍵を用いて、共用の収納庫へのアクセスを可能とする、
請求項６に記載のアクセス権管理システム。
【請求項８】
請求項１から請求項５の何れかに記載の錠前装置を利用するアクセス権管理システムにおいて、
前記錠前装置であって、所定の鍵を用いて前記係合手段による係合を解除することが可能な第一の錠前装置を有し、施錠によってアクセスが制限される第一のアクセス制限対象と、
前記錠前装置であって、前記第一の錠前装置の備える前記係合手段が設けられた鍵溝読取位置と対応する鍵溝読取位置のうち一つ以上に前記非係合保持手段が設けられた第二の錠前装置を有し、施錠によってアクセスが制限される第二のアクセス制限対象と、
を備え、
前記第二の錠前装置の備える係合手段と、前記第一の錠前装置の備える係合手段のうち前記第二の錠前装置の備える係合手段が設けられた鍵溝読取位置と対応する鍵溝読取位置に設けられた係合手段とが、同一の形状の鍵溝によって係合を解除することが可能な係合手段であること
を特徴とするアクセス権管理システム。
【請求項９】
前記第一のアクセス制限対象は、所定のセキュリティレベルが設定された収納庫であり、
前記第二のアクセス制限対象は、前記所定のセキュリティレベルより低次のセキュリティレベルが設定された収納庫であり、
前記第二の錠前装置の備える係合手段と、前記第一の錠前装置の備える係合手段のうち前記第二の錠前装置の備える係合手段が設けられた鍵溝読取位置と対応する鍵溝読取位置に設けられた係合手段とが、同一の形状の鍵溝によって係合を解除することが可能な係合手段であることで、前記所定のセキュリティレベルが設定された収納庫にアクセス可能な
複数の異なる鍵を用いて、前記所定のセキュリティレベルより低次のセキュリティレベルが設定された収納庫へのアクセスを可能とする、
請求項８に記載のアクセス権管理システム。
【請求項１０】
請求項１から請求項５の何れかに記載の錠前装置を利用するアクセス権管理システムにおいて、
前記錠前装置であって、所定の鍵を用いて前記係合手段による係合を解除することが可能な第一の錠前装置を有し、施錠によってアクセスが制限される第一のアクセス制限対象と、
前記錠前装置であって、前記第一の錠前装置の備える前記係合手段が設けられた鍵溝読取位置と対応する鍵溝読取位置のうち一つ以上に前記非係合保持手段が設けられ、前記第一の錠前装置の備える前記非係合手段が設けられた鍵溝読取位置と対応する鍵溝読取位置のうち一つ以上に前記係合保持手段が設けられた、第二の錠前装置を有し、施錠によってアクセスが制限される第二のアクセス制限対象と、
を備え、
前記第二の錠前装置の備える係合手段及び前記第一の錠前装置の備える係合手段が、前記アクセス権管理システムにおいて一意に定められた基本形状の鍵溝によって係合を解除することが可能な係合手段であること
を特徴とするアクセス権管理システム。
【請求項１１】
前記第一のアクセス制限対象及び前記第二のアクセス制限対象は、夫々集配用の収納庫であり、
前記第二の錠前装置の備える係合手段及び前記第一の錠前装置の備える係合手段が、前記基本形状の鍵溝によって係合を解除することが可能な係合手段であることで、前記基本形状の鍵溝を有し、集配人が管理する鍵を用いて、前記集配用の収納庫へのアクセスを可能とする、
請求項１０に記載のアクセス権管理システム。
【発明の詳細な説明】
【技術分野】
【０００１】
本発明は、錠前装置及び該錠前装置を利用したアクセス権管理システムに関する。
【背景技術】
【０００２】
従来、施解錠の対象に固定された外筒と、この外筒内で回転する内筒（シリンダー）とからなり、内筒の鍵穴に鍵を挿入し回転させることで施解錠を行う、シリンダー錠が知られている。また、専用の鍵を用いることで内筒を外筒から取り外し、他の内筒と交換することを可能とした、内筒交換可能なシリンダー錠や、通常の鍵において鍵溝が設けられている面と反対の面に鍵溝を設け、この鍵溝を読み取ることで、異なる錠前装置を一本のマスターキーで解錠可能としたシリンダー錠がある。
【０００３】
また、関連する技術として、個人用の鍵と共通の鍵とを用いることによって、住人が不在であっても宅配に係る荷物の受け渡しが可能な宅配便受取ロッカーがあり（特許文献１を参照）、電子的に制御された装置において個人パスワードと共有パスワード等を用いることで、個人パスワードに対応するアクセスレベルに応じて施解錠を行うロッカーシステムがある（特許文献２を参照）。
【特許文献１】特開平６−１０００８２号公報
【特許文献２】特開２００５−１６５９２２号公報
【発明の開示】
【発明が解決しようとする課題】
【０００４】
近年、セキュリティ問題に対する関心が社会的に高まっており、企業においても、書類、データ、業務に使用するノートＰＣ等の管理の重要性が認識されている。これらの管理対象は錠前装置を備えた収納庫に収納され、この錠前装置が備えられた収納庫を解錠可能な鍵を管理することで、セキュリティを確保することが一般的である。ここで、管理しなければならない鍵の種類や本数が増えることによって利便性が低下するという問題あるが、鍵管理上の利便性を高める方法として、従来、内筒交換の技術が利用されている。具体的には、内筒交換によって個人が管理する収納庫の錠前装置を同一の鍵で解錠可能なものに統一し、一本の鍵で個人管理の収納庫を解錠できるように錠前装置を交換する方法や、グループで使用する収納庫の錠前装置を統一するように内筒交換を行い、グループの所属者が同種類の鍵を持つことでグループごとのアクセス権を設定する方法、及び管理対象の収納庫ごとにセキュリティレベルを設定し、セキュリティレベルが同一の収納庫は同一の鍵で解錠できるように内筒交換を行う方法等が用いられている。
【０００５】
しかし、上記方法において、個人が管理する収納庫の錠前装置を統一し、更にグループで使用する収納庫の錠前装置を統一した場合でも、個人管理の収納庫の鍵とグループで使用する収納庫の鍵とは異なる鍵である必要があり、複数の鍵を管理しなければならないという煩わしさがある。また、セキュリティレベルを設定した場合も、セキュリティレベルごとに異なる鍵が必要となり、高次のアクセス権限を有する管理者ほど、管理すべき鍵の本数が多くなるという問題が発生する。
【０００６】
これは、セキュリティと利便性とが原則的に相反することによるために起こる問題である。即ち、従来の技術では、利便性を高めるために錠前装置を統一すればセキュリティ強度が低下し、セキュリティ強度を高めるために錠前装置の種類を増やせば管理すべき鍵の種類が増え、利便性が低下することとなる。ここで、セキュリティ強度を保ったまま、利便性を向上させることを解決するために、電子制御を行う装置を使用することも考えられるが、電子制御を用いたアクセス権管理システムの導入にはコストが掛かり、従来の鍵を
用いたアクセス権管理システムと使用感も大きく変わってしまう。
【０００７】
本発明は、上記した問題に鑑み、従来の錠前装置の使用感及びセキュリティ強度を保ったまま、利便性を向上させることを課題とする。
【課題を解決するための手段】
【０００８】
本発明は、上記した課題を解決するために、挿入されている鍵の有する鍵溝のうち一部の鍵溝の形状に拘わらず、内筒と外筒との係合を解除することで、従来の錠前装置の使用感及びセキュリティ強度を保ったまま、利便性を向上させることを可能にした。
【０００９】
詳細には、本発明は、鍵穴を有し、外筒内で回転することで解錠を行う内筒と、前記鍵穴に挿入される鍵の有する複数の鍵溝に対応する鍵溝読取位置のうち一部の鍵溝読取位置に設けられ、前記鍵が挿入されていないときに前記外筒と係合するとともに、前記鍵が挿入されたときに該鍵の有する鍵溝によって押圧されることで該鍵溝の形状に応じて移動し、前記外筒との係合を解除する係合手段と、前記係合手段が設けられた一部の鍵溝読取位置を除く鍵溝読取位置に設けられ、前記鍵が挿入されたときに該鍵の有する鍵溝の形状に拘わらず前記外筒と係合しない非係合保持手段と、を備える錠前装置である。
【００１０】
ここで、解錠とは、外筒内で内筒が回転することにより錠が移動してロックが解かれることをはじめとする、アクセス制限対象に対するアクセスの制限を解除する動作の全てを含むこととする。例えば、ロッカー、引き出し、書庫等の収納具や、扉によってアクセスを制限された空間の他に、システムの起動を制限するシステム起動キーシステムが備えられたシステムもアクセス制限対象に含まれる。また、鍵溝読取位置とは、鍵が鍵穴に挿入されている状態で、係合手段又は非係合保持手段が係合の解除又は係合しない状態の保持のために鍵の有する鍵溝の形状を読み取ることができる位置である。
【００１１】
本発明に係る錠前装置は、鍵が挿入されていないときに係合手段が外筒に係合することで内筒の回転即ち解錠を制限し、錠前装置に適合する鍵が挿入されているときに係合手段による係合を解除することで解錠を可能とする。ここで、鍵が挿入されているときに鍵溝の形状に拘らず外筒と係合せず、解錠を可能とする非係合保持手段が設けられた鍵溝読取位置が存在することで、この鍵溝読取位置に対応する鍵溝の形状は問われず、係合手段が設けられた鍵溝読取位置に対応する鍵溝のみが適合することで、係合が解除されることとなる。即ち、本発明に拠れば、この一部の鍵溝の形状を異ならせた複数の種類の鍵によって解錠を行うことが可能な錠前装置を提供することが可能となる。
【００１２】
なお、非係合保持手段は、鍵が挿入されていないときには外筒と係合してもよいし、係合しなくてもよい。即ち、鍵が挿入されていないときに外筒と係合し、鍵が挿入されたときに、鍵溝の形状に拘らず係合を解除することとしてもよいし、鍵が挿入されているといないとに拘らず、常に外筒と係合しない状態が保持されることとしてもよい。
【００１３】
本発明において、前記係合手段は、弾性部材によって付勢されることで、前記鍵が挿入されていないときに前記外筒と係合するとともに、前記鍵が挿入されたときに該鍵の有する鍵溝によって前記弾性部材による付勢の方向と反対方向に押圧されることで該鍵溝の形状に応じて移動し、前記外筒との係合を解除するタンブラーであり、前記非係合保持手段は、前記鍵が挿入されていないときに前記外筒と係合しない状態であり、前記鍵が挿入されたときに該鍵の有する鍵溝の形状に拘わらず該鍵溝による押圧を受けないことで移動せず、前記外筒と係合しない状態を保持する擬似タンブラーであってもよい。
【００１４】
また、前記非係合保持手段は、弾性部材によって付勢されることで、前記鍵が挿入されていないときに前記外筒と係合するとともに、前記鍵が挿入されたときに該鍵の有する鍵
底部又はガイド溝によって前記弾性部材による付勢の方向と反対方向に押圧されることで移動し、前記外筒との係合を解除する擬似タンブラーであってもよいし、前記タンブラーと同等の構成を有するタンブラーが設けられていないことで、前記鍵が挿入されていないときに前記外筒と係合しない状態であり、前記鍵が挿入されたときに該鍵の有する鍵溝の形状に拘わらず該鍵溝による押圧を受けないことで移動せず、前記外筒と係合しない状態を保持してもよい。
【００１５】
ここで、係合手段は、スプリングや板バネ等の弾性部材によって付勢されることで、鍵が挿入されていないときに外筒の有する係合溝等と係合するタンブラーである。タンブラーは、鍵が挿入されたときに鍵の有する鍵溝によって押圧されることで移動し、移動の距離が適正であれば係合が解除される。移動の距離は鍵溝の形状に依り、ここでいう鍵溝の形状とは主に鍵溝の深さであることが一般的である。なお、本願において鍵溝と称されているものは、一般に鍵山と呼ばれることもある。
【００１６】
非係合保持手段は、疑似タンブラーであってもよいし、タンブラー類が設けられていない空間であってもよい。但し、疑似タンブラーが設けられることで、従来タンブラーが設けられるはずの鍵溝読取位置にタンブラーが無いために本発明にかかる内筒が不良品と間違われることを避けることが出来る。また、ピッキングによる解錠を試みる者がいた場合に、疑似タンブラーが設けられことによって、解錠に要する時間を引き延ばすことが可能である。
【００１７】
本発明は、前記内筒の側面に設けられた係止溝と、鍵穴に挿入された内筒交換用鍵によって押圧されることで前記内筒から外筒方向へ前記係止溝内を移動する移動体と、を更に備え、前記内筒は、前記内筒交換用鍵が挿入されていない状態で、外筒に備えられた係止片が前記係止溝内に入ることによって外筒から取り外し不可能であり、前記内筒交換用鍵が挿入されている状態で、該内筒交換用鍵によって押圧されて移動した前記移動体によって前記係止片が係止溝から押し出されることで、外筒から取り外し可能であることを特徴としてもよい。
【００１８】
ここで、係止溝は、係止片によって係止されている状態でも、内筒が外筒内で回転可能であるように設けられる。また、内筒交換用鍵は、通常の解錠を行うための鍵とは異なる、内筒交換を行うための専用の鍵であり、鍵溝によって係合手段による外筒との係合を解除した上で、更に移動体を押圧する鍵である。
【００１９】
内筒交換用鍵を挿入した場合には、係合手段による外筒との係合が解除された上で、更に内筒を外筒から取り外し不可能であるように係止する係止片が移動体によって押し出される。これにより、専用の鍵を使用して容易に内筒交換が可能である。即ち、本発明に拠れば、本発明に係る、一部の鍵溝の形状を異ならせた複数の種類の鍵によって解錠を行うことが可能な錠前装置を自由に配置し、これらの錠前装置に対応する鍵を管理することによってアクセス制限対象へのアクセス権を管理するアクセス権管理システムを容易に構築することが可能となる。
【００２０】
また、本発明は、鍵穴を有し、外筒内で回転することで解錠を行う内筒と、前記鍵穴に挿入される鍵の有する複数の鍵溝に対応する鍵溝読取位置に設けられ、前記鍵が挿入されていないときに前記外筒と係合するとともに、前記鍵が挿入されたときに該鍵の有する鍵溝によって押圧されることで該鍵溝の形状に応じて移動し、前記外筒との係合を解除する係合手段と、を備える第一の錠前装置が設けられ、施錠によってアクセスが制限される第一のアクセス制限対象と、先述の非係合保持手段を備える錠前装置であって、前記第一の錠前装置の備える前記係合手段が設けられた鍵溝読取位置と対応する鍵溝読取位置のうち一つ以上に前記非係合保持手段が設けられた第二の錠前装置が設けられ、施錠によってア
クセスが制限される第二のアクセス制限対象と、を備え、前記第二の錠前装置の備える係合手段と、前記第一の錠前装置の備える係合手段のうち前記第二の錠前装置の備える係合手段が設けられた鍵溝読取位置と対応する鍵溝読取位置に設けられた係合手段とが、同一の形状の鍵溝によって係合を解除することが可能な係合手段であることを特徴とするアクセス権管理システムである。
【００２１】
なお、前記第一のアクセス制限対象は個人用の収納庫であり、前記第二のアクセス制限対象は共用の収納庫であり、前記第二の錠前装置の備える係合手段と、前記第一の錠前装置の備える係合手段のうち前記第二の錠前装置の備える係合手段が設けられた鍵溝読取位置と対応する鍵溝読取位置に設けられた係合手段とが、同一の形状の鍵溝によって係合を解除することが可能な係合手段であることで、前記個人用の収納庫にアクセス可能な複数の異なる鍵を用いて、共用の収納庫へのアクセスを可能としてもよい。
【００２２】
非係合保持手段を備えない第一の錠前装置と、非係合保持手段を備える第二の錠前装置とにおいて、第二の錠前装置が備える係合手段と、第一の錠前装置が備える係合手段のうち第二の錠前装置の備える係合手段が設けられた鍵溝読取位置と対応する鍵溝読取位置に設けられた係合手段とを、同一の形状の鍵溝によって係合を解除することが出来る係合手段とする。ここで、第一の錠前装置が設けられたアクセス制限対象を解錠するには、鍵の有する全ての鍵溝が係合手段による係合を解除可能な鍵溝である必要があるが、第二の錠前装置が設けられたアクセス制限対象を解錠するには、鍵の有する鍵溝のうち、非係合保持手段に対応する鍵溝の形状は問われない。つまり、このアクセス権管理システムにおいては、第一のアクセス制限対象を解錠可能であり且つ第二のアクセス制限対象を解錠可能な鍵と、第二のアクセス制限対象は解錠可能であるが、第一のアクセス制限対象は解錠不可能な鍵と、を用いることが可能である。
【００２３】
即ち、本発明に拠れば、各個人ごとに割り当てられる第一のアクセス制限対象を解錠可能な鍵を各個人ごとに管理し、この鍵を用いて、共用に係る第二のアクセス制限対象を解錠することが可能な、アクセス権管理システムを提供することが可能となる。
【００２４】
更に、本発明は、先述の非係合保持手段を備える錠前装置を利用するアクセス権管理システムにおいて、前記錠前装置であって、所定の鍵を用いて前記係合手段による係合を解除することが可能な第一の錠前装置が設けられ、施錠によってアクセスが制限される第一のアクセス制限対象と、前記錠前装置であって、前記第一の錠前装置の備える前記係合手段が設けられた鍵溝読取位置と対応する鍵溝読取位置のうち一つ以上に前記非係合保持手段が設けられた第二の錠前装置が設けられ、施錠によってアクセスが制限される第二のアクセス制限対象と、を備え、前記第二の錠前装置の備える係合手段と、前記第一の錠前装置の備える係合手段のうち前記第二の錠前装置の備える係合手段が設けられた鍵溝読取位置と対応する鍵溝読取位置に設けられた係合手段とが、同一の形状の鍵溝によって係合を解除することが可能な係合手段であることを特徴とするアクセス権管理システムである。
【００２５】
なお、前記第一のアクセス制限対象は、所定のセキュリティレベルが設定された収納庫であり、前記第二のアクセス制限対象は、前記所定のセキュリティレベルより低次のセキュリティレベルが設定された収納庫であり、前記第二の錠前装置の備える係合手段と、前記第一の錠前装置の備える係合手段のうち前記第二の錠前装置の備える係合手段が設けられた鍵溝読取位置と対応する鍵溝読取位置に設けられた係合手段とが、同一の形状の鍵溝によって係合を解除することが可能な係合手段であることで、前記所定のセキュリティレベルが設定された収納庫にアクセス可能な複数の異なる鍵を用いて、前記所定のセキュリティレベルより低次のセキュリティレベルが設定された収納庫へのアクセスを可能としてもよい。
【００２６】
互いに非係合保持手段が設けられている第一の錠前装置と、第二の錠前装置と、を用い、第二のアクセス制限対象には、第一の錠前装置の備える係合手段が設けられた鍵溝読取位置と対応する鍵溝読取位置のうち一つ以上に非係合保持手段が設けられた第二の錠前装置が設けられる。これによって、第一の錠前装置が設けられた共用に係るアクセス制限対象と、第二の錠前装置が設けられた共用に係るアクセス制限対象と、の二つの共用グループを定義することが可能となり、加えて、第一のアクセス制限対象を解錠可能な鍵は、より高次のアクセス権として、第二のアクセス制限対象を解錠することが可能となる。つまり、第一のアクセス制限対象を解錠可能であり且つ第二のアクセス制限対象を解錠可能な鍵と、第二のアクセス制限対象は解錠可能であるが、第一のアクセス制限対象は解錠不可能な鍵と、を用いることが可能である。
【００２７】
即ち、本発明に拠れば、第一のアクセス制限対象を解錠可能であり且つ第二のアクセス制限対象を解錠可能な鍵を、より高次のセキュリティレベルへのアクセス権を有する個人が管理することで、その個人は、高次のアクセス制限対象の解錠と、より低次のアクセス制限対象の解錠を一本の鍵で行うことが可能となる。同時に、第二のアクセス制限対象は解錠可能であるが第一のアクセス制限対象は解錠不可能な鍵を、より低次のセキュリティレベルへのアクセス権を有する個人が管理することで、その個人は、より高次のアクセス制限対象を解錠することが出来ず、セキュリティを保つことが可能である。
【００２８】
更に、本発明は、先述の非係合保持手段を備える錠前装置を利用するアクセス権管理システムにおいて、前記錠前装置であって、所定の鍵を用いて前記係合手段による係合を解除することが可能な第一の錠前装置を有し、施錠によってアクセスが制限される第一のアクセス制限対象と、前記錠前装置であって、前記第一の錠前装置の備える前記係合手段が設けられた鍵溝読取位置と対応する鍵溝読取位置のうち一つ以上に前記非係合保持手段が設けられ、前記第一の錠前装置の備える前記非係合手段が設けられた鍵溝読取位置と対応する鍵溝読取位置のうち一つ以上に前記係合保持手段が設けられた、第二の錠前装置を有し、施錠によってアクセスが制限される第二のアクセス制限対象と、を備え、前記第二の錠前装置の備える係合手段及び前記第一の錠前装置の備える係合手段が、前記アクセス権管理システムにおいて一意に定められた基本形状の鍵溝によって係合を解除することが可能な係合手段であることを特徴とするアクセス権管理システムである。
【００２９】
なお、前記第一のアクセス制限対象及び前記第二のアクセス制限対象は、夫々集配用の収納庫であり、前記第二の錠前装置の備える係合手段及び前記第一の錠前装置の備える係合手段が、前記基本形状の鍵溝によって係合を解除することが可能な係合手段であることで、前記基本形状の鍵溝を有し、集配人が管理する鍵を用いて、前記集配用の収納庫へのアクセスを可能としてもよい。
【００３０】
即ち、本発明に拠れば、第一のアクセス制限対象を解錠可能であり且つ第二のアクセス制限対象を解錠可能な基本形状の鍵溝を有する鍵を、全てのアクセス制限対象へのアクセス権を有する集配人等が管理することで、集配人等は、集配用の収納庫等の全てのアクセス制限対象の解錠を一本の鍵で行うことが可能となる。同時に、自己の集配用の収納庫等自己がアクセス権を有するアクセス制限対象は解錠可能であるが、他社の集配用の収納庫等自己がアクセス権を有さないアクセス制限対象は解錠不可能な鍵を、限定的なアクセス権を有する個人が管理することで、セキュリティを保つことが可能である。
【発明の効果】
【００３１】
本発明によって、従来の錠前装置の使用感及びセキュリティ強度を保ったまま、利便性を向上させることが可能となる。
【発明を実施するための最良の形態】
【００３２】
本発明に係る錠前装置及び該錠前装置を利用したアクセス権管理システムの実施の形態について、図面に基づいて説明する。
【００３３】
＜錠前装置の構造＞
図１は、本実施形態において使用される鍵１０の概略を示す図である。鍵１０は、把持部１３及び差込部１１を有し、差込部１１の側面には鍵溝１２が刻まれている。本実施形態では、鍵溝１２が７つ刻まれ、夫々の鍵溝１２は、１番から３番の３段階の深さのうち何れかを有する（以下、鍵溝１２の深さを示す番号を、鍵溝番号と称する）。例えば、図１に示される鍵１０の鍵溝番号の並びは、把持部１３から近い順に１−１−３−２−２−１−３である。本実施形態においては、３段階の鍵溝１２の深さを採用しているが、この段数は、実施の形態によって適宜決定されることが好ましい。また、本実施形態においては、鍵溝１２が７つ刻まれているが、鍵溝１２の数は、実施の形態によって適宜決定されることが好ましい。
【００３４】
図２は、本実施形態における錠前装置の概略を示す図である。錠前装置である内筒２０は鍵穴２１、前記鍵溝１２に対応する鍵溝読取位置を示すスロット２２、スロット２２に設けられ前記鍵溝番号に対応する１番から３番タンブラー４０、０番タンブラー５０、係止溝２４、及び内筒交換時に係止片３３を押し出すための移動体２３を有する。ここで、本実施形態においてスロット２２は７つ設けられている。以下、鍵穴２１の入口から近い順に１番スロット、２番スロット、３番スロット、４番スロット、５番スロット、６番スロット及び７番スロットと称する。内筒２０が設けられる外筒３０は、施解錠を行う対象に固定される円筒状の金属部材であり、筒内に内筒２０を保持し、筒の内壁に、内筒２０の有する１番から３番タンブラー４０が係合する係合溝３１、スプリング３４によって係止溝２４に嵌合することで内筒２０を外筒３０に係止する係止片３３、及び係止片３３を通す係止片挿通孔３２を有する。鍵穴２１に鍵１０が挿入されていない状態で、１番から３番タンブラー４０は係合溝３１に係合し、内筒２０の回転を制限する。操作者は鍵１０を内筒２０に挿入し、外筒３０内で内筒２０を回転させることで、解錠を行う。即ち、内筒２０が外筒３０内で回転するためには、係合溝３１に係合する１番から３番タンブラー４０が、内筒２０の内側に引き込まれ、１番から３番タンブラー４０と係合溝３１との係合が解除されることが必要である。
【００３５】
図３は、本実施形態における１番から３番タンブラー４０及び０番タンブラー５０の概略を示す図である。本実施形態においては、１番タンブラー４０（図３のｃ図を参照）、２番タンブラー４０（図３のｂ図を参照）、３番タンブラー４０（図３のａ図を参照）、及び０番タンブラー５０（図３のｄ図を参照）が使用される。１番から３番タンブラー４０は、上部突起４１、下部突起４２、スプリング４３、鍵１０を通すための鍵挿通孔４４、及び鍵溝１２の深さを読み取るための読取部４５を有する。１番から３番タンブラー４０は、内筒２０の鍵溝読取位置のスロット２２にスプリング４３を介して設けられており、鍵１０が挿入されていない状態で、上部突起４１がスロット２２の淵に係り、１番から３番タンブラー４０の上部が内筒２０から突出している（図４を参照）。即ち、鍵１０が挿入されていない状態で、この１番から３番タンブラー４０の突出した部分が外筒３０の係合溝３１に係合することで、内筒２０の回転を制限している。ここで、鍵１０が挿入されると、挿入された鍵１０の鍵溝１２によって読取部４５が押圧されることで、スプリング４３によって係合溝３１に係合する高さまで持ち上げられていた１番から３番タンブラー４０が内筒２０内に引き込まれ、１番から３番タンブラー４０と係合溝３１との係合が解除される。
【００３６】
ここで、鍵溝１２の１番から３番は、夫々１番タンブラー４０から３番タンブラー４０に対応する。鍵溝１２は鍵溝番号によって深さが異なり、１番から３番タンブラー４０はタンブラー番号によって読取部４５の高さが異なる。即ち、番号の一致する鍵溝１２が個
々のタンブラー４０の読取部４５を押圧したときに限り、１番から３番タンブラー４０が内筒２０内に適正な距離だけ引き込まれ、係合が解除される（図５のａ図を参照）。番号の異なる鍵溝１２が読取部４５を押圧した場合、１番から３番タンブラー４０は内筒２０内に引き込まれないか、引き込まれた上で内筒２０の反対側のスロットから突出し、反対側の係合溝３１に係合することで、内筒２０の回転を制限する（図５のｂ図を参照）。これらの１番から３番タンブラー４０が様々な組み合わせで内筒２０に設けられることで、挿入したときに全ての係合を解除できる鍵１０が挿入されたときに限り、内筒２０を外筒３０内で回転させ、解錠を行うことが可能となっている。本実施形態では、タンブラー４０は７枚設けられ、例えば、図１に示す鍵１０で解錠を行うことが出来る錠前装置とするためには、タンブラー番号の組み合わせを鍵穴２１の入口から順に１−１−３−２−２−１−３とする。
【００３７】
ここで、０番タンブラー５０は、スプリングの取り付け位置が異なることで、鍵１０を挿入しない状態においても、内筒２０内に引き込まれ、係合溝３１に係合しない状態となる擬似タンブラーであり、上部突起５１、下部突起５２、スプリング５３、及び鍵１０を通すための鍵挿通孔５４を有する（図３を参照）。スプリング５３の取り付け位置及び上部突起５１の位置が１番から３番タンブラー４０のスプリング４３の取り付け位置及び上部突起４１の位置よりも高いことで、内筒２０内に設置したときに、０番タンブラー５０は内筒２０から突出せず、係合溝３１に係合しない（図６を参照）。さらに、１番から３番タンブラー４０と異なり、読取部４５に対応する構成を有さないことで、挿入された鍵１０の鍵溝１２が１番から３番の何れであっても、０番タンブラー５０は移動せず、係合溝３１に係合することはない。なお、０番タンブラー５０は、鍵１０の挿入によって移動することがないため、スプリング５３を介した取り付けである必要はなく、スロット２２に固定されていてもよい。
【００３８】
本実施形態における錠前装置に拠れば、０番タンブラー５０が設けられたことによって、鍵１０を挿入したときに０番タンブラー５０の位置にくる鍵溝１２が１番から３番のいずれであっても、１番から３番タンブラー４０の係合を解除することで解錠を行うことが可能な錠前装置を提供することが可能となる。例えば、タンブラー番号の組み合わせが１−１−３−２−２−０−３である錠前装置は、鍵溝番号の組み合わせが１−１−３−２−２−１−３である鍵１０と、１−１−３−２−２−２−３である鍵１０と、１−１−３−２−２−３−３である鍵１０と、の３通りの鍵１０で開錠することが可能である。
【００３９】
また、反対に、鍵溝番号の組み合わせが１−１−３−２−２−１−３である鍵１０は、タンブラー番号の組み合わせが０−１−３−２−２−１−３である錠前装置、１−０−３−２−２−１−３である錠前装置、１−１−０−２−２−１−３である錠前装置、１−１−０−０−０−１−３である錠前装置、１−１−０−２−０−１−０である錠前装置等、「１−１−３−２−２−１−３」の組み合わせのうち一つ以上のスロット２２に０番タンブラー５０が設けられた錠前装置を開錠することが可能である。
【００４０】
以上より、従来、複数の異なる錠前装置が設けられたアクセス制限対象を管理する場合、錠前装置の種類に応じた数の鍵を管理する必要があったところ、本実施形態に拠れば、異なる複数の鍵１０によって単一の錠前装置が設けられたアクセス制限対象を解錠することや、単一の鍵１０によって複数の異なる錠前装置が設けられたアクセス制限対象を解錠することが可能となり、鍵管理を簡便にすることが出来る。
【００４１】
図７は、本実施形態における鍵１０が挿入されていないときの内筒２０の状態及び鍵１０が挿入されているときの内筒２０の状態の概略を示す図である。図７のａ図は、鍵１０が挿入されていないときの状態を示す。１番から３番タンブラー４０は、鍵１０が挿入されていない状態において、スプリング４３（図示せず）によって付勢され、内筒２０の上
部に突出することで、外筒３０の係合溝３１（図示せず）に係合する。また、スプリング３４によって付勢された係止片３３が係止溝２４に嵌合し、外筒３０から内筒２０を取り外すことが出来ないようになっている。
【００４２】
図７のｂ図は、鍵１０が挿入されているときの内筒２０の状態を示す。１番から３番タンブラー４０は、鍵溝１２によって読取部４５が押圧されることで、内筒２０内に引き込まれ、係合溝３１との係合が解除される。しかし、係止片３３が係止溝２４へ嵌合している状態は保たれているため、内筒２０は外筒３０内で回転可能であるが、外筒３０から内筒２０を取り外すことは出来ない。
【００４３】
図７のｃ図は、内筒交換用鍵６０が挿入されているときの内筒２０の状態を示す。１番から３番タンブラー４０が内筒２０内に引き込まれ、内筒２０が回転可能になると同時に、鍵によって押圧された移動体２３が係止溝２４内を移動することで、係止溝２４から係止片３３を押し出して係止を解除し、内筒２０が外筒３０から取り外し可能となる。内筒交換用鍵６０は、図７のｂ図で使用される鍵１０よりも先端が長いことで、移動体２３を押圧することが可能であるように形成された専用の鍵である。
【００４４】
内筒交換用鍵６０を用いて内筒交換を可能とすることで、アクセス制限対象への先述の錠前装置の配置を容易に行うことが出来、アクセス権管理システムを容易に構築することが可能となる。
【００４５】
＜アクセス権管理システム：グループ利用＞
以下に、上記実施形態で説明した錠前装置を用いた、アクセス権管理システムを説明する。図８は、本実施形態におけるアクセス権管理システムを、グループ利用目的に用いる場合の概略を示す図である。ここで、グループ利用とは、各個人用のロッカーや個人用引き出し等を解錠するために用意された、各個人毎に異なる鍵を用いて、共用のロッカーや書庫等を解錠可能とする利用方法をいう。本実施形態において、ロッカー、引き出し、書庫等をまとめて「収納庫」と称する。但し、設置対象はロッカー、引き出し、書庫等の収納庫に限られず、全てのアクセス制限対象が設置対象となり得る。例えば、システムの起動キー等、収納庫以外の装置に設けられてもよい。
【００４６】
まず、共用の収納庫９１に取り付ける錠前装置のタンブラー番号の組み合わせを、０番タンブラー５０が含まれたものとする。例えば、タンブラー番号の組み合わせが１−１−３−０−３−０−３である錠前装置を、共用の収納庫９１に取り付ける。次に、個人用の収納庫９２ａ、９２ｂ、９２ｃに取り付ける錠前装置のタンブラー番号の組み合わせを、前記共用の収納庫９１に取り付ける錠前装置において０番以外のタンブラー４０が設けられたスロット２２についてはこれと同一にし、０番タンブラー５０が設けられたスロット２２については、１番から３番タンブラー４０のうちいずれかとする。例えば、タンブラー番号の組み合わせが１−１−３−２−３−１−３である錠前装置と、１−１−３−１−３−１−３である錠前装置と、１−１−３−２−３−３−３である錠前装置とを、個人用の収納庫９２ａ、９２ｂ、９２ｃに取り付ける。
【００４７】
ここで、タンブラー番号の組み合わせが１−１−３−２−３−１−３である錠前装置を管理する個人が、鍵溝番号の組み合わせが１−１−３−２−３−１−３である鍵１０ａを、タンブラー番号の組み合わせが１−１−３−１−３−１−３である錠前装置を管理する個人が、鍵溝番号の組み合わせが１−１−３−１−３−１−３である鍵１０ｂを、タンブラー番号の組み合わせが１−１−３−２−３−３−３である錠前装置を管理する個人が、鍵溝番号の組み合わせが１−１−３−２−３−３−３である鍵１０ｃを、それぞれ管理することで、これらの鍵１０ａ、１０ｂ、１０ｃを管理する個人は、自己の個人用の収納庫９２ａ、９２ｂ、９２ｃを解錠出来ることに加え、全員が共用の収納庫９１を解錠出来る。
【００４８】
即ち、従来、各個人毎にアクセス権が与えられた収納庫９２を解錠し、更に共用の収納庫９１を解錠したい場合、複数の鍵を持つ必要があったところ、本実施形態に拠れば、各個人毎にアクセス権が与えられた収納庫９２を解錠出来るとともに、同一の鍵１０ａ、１０ｂ、１０ｃを用いて、複数の個人が、自己がアクセス権を持つ共用の収納庫９１を解錠することが可能なアクセス権管理システムを構築することが可能となる。
【００４９】
上述のアクセス権管理システムの他の具体的な例として、ノートＰＣ保管庫８０がある（図９を参照）。０番タンブラー５０が設けられた共用の錠前装置をノートＰＣ保管庫８０の前面扉８１に設け、前面扉８１を開いた中にある各個人用のノートＰＣを収納する収納部手前のゲート８２に、各個人の持つ鍵１０でしか開かない錠前装置が設けられることで、２段階に施錠されるが、各個人の管理する鍵１０は一本のみであるノートＰＣ保管庫８０を提供することが出来る。
【００５０】
図１０は、本実施形態におけるアクセス権管理システムを、グループ利用目的に用いる場合の鍵１０の組み合わせを示す図である。ここでは、５番スロット、６番スロット、７番スロットに０番タンブラー５０が設けられることとしている。ｎ枚の０番タンブラー５０が設けられた場合、一つの共用の錠前装置に対して、最大３n種類の個人用の鍵１０を
用意することが出来る。図１０の例では、０番タンブラー５０は３枚であるため、最大２７通りの個人用の鍵１０を用意することが出来る。但し、鍵溝番号の並びによっては、セキュリティ上好ましくない組み合わせや、鍵溝１２が摩耗し易い組み合わせがあるため、このような組み合わせの鍵１０は適宜除外されることが好ましい。
【００５１】
また、グループは、図１０に示すように複数のグループを設定することが可能である。０番タンブラー５０が設けられていないスロット２２に設けられる１番から３番タンブラー４０の組み合わせを異ならせることで、所定のグループに属する個人は、自己の属するグループの共用の収納庫は解錠することが出来るが、他のグループの共用の収納庫は解錠することが出来ない。例えば、図１０において、グループＢの共用の収納庫を解錠することが出来る鍵１０は、１番スロットから４番スロットに設けられたタンブラー番号が異なるため、グループＡ及びグループＣの共用の収納庫を解錠することは出来ない。即ち、本実施形態に拠れば、グループを複数設定し、グループに属する個人は、自己の個人用の収納庫及び自己のグループの共用の収納庫は解錠することが可能であるが、他人の個人用の収納庫及び他のグループの共用の収納庫は解錠することが出来ないアクセス権管理システムを構築することが可能である。
【００５２】
＜アクセス権管理システム：セキュリティレベル＞
図１１は、本実施形態におけるアクセス権管理システムを、セキュリティレベルの設定を目的に用いた場合の概略を示す図である。ここで、セキュリティレベルの設定とは、鍵１０の属するセキュリティレベルと同一又はより低次のセキュリティレベルが設定された収納庫は、その鍵１０で解錠することが可能であるが、鍵１０の属するセキュリティレベルより高次のセキュリティレベルが設定された収納庫は、その鍵１０では解錠することが不可能であるように、鍵１０及び錠前装置を設定することをいう。なお、本実施形態では、最も低次のセキュリティレベルであるセキュリティレベル１から最も高次のセキュリティレベルであるセキュリティレベル５までの５段階のセキュリティレベルを設定することとする。
【００５３】
図１２Ａ及び図１２Ｂは、本実施形態におけるアクセス権管理システムを、セキュリティレベルの設定を目的に用いた場合の鍵１０の組み合わせを示す図である。セキュリティレベルは、錠前装置における０番タンブラー５０の枚数で決定される。セキュリティレベ
ル５の錠前装置は、０番タンブラー５０を有さず、１番から３番タンブラー４０の組み合わせで構成される。即ち、セキュリティレベル５の錠前装置が設けられた収納庫を解錠できる鍵１０の鍵溝番号の組み合わせは一通りしかない。これに対し、セキュリティレベル４の錠前装置は、０番タンブラー５０を１枚有し、１枚の０番タンブラー５０以外のタンブラーは、セキュリティレベル５の錠前装置におけるタンブラーの組み合わせと同じ組み合わせで構成される。例えば、セキュリティレベル５の錠前装置のタンブラー４０の番号の組み合わせが１−３−２−１−３−２−１であるとすると、セキュリティレベル４の錠前装置のタンブラー番号の組み合わせは、１−３−２−１−３−２−０となる。なお、本実施形態において、セキュリティレベル４では７番スロットに０番タンブラー５０が設けられているが、０番タンブラー５０が設けられるスロット２２のスロット番号は他でもよい。
【００５４】
セキュリティレベル４の錠前装置が設けられた収納庫は、セキュリティレベル５の錠前装置が設けられた収納庫を解錠可能な、鍵溝番号の組み合わせが１−３−２−１−３−２−１である鍵１０の他に、鍵溝番号の組み合わせが１−３−２−１−３−２−２である鍵１０と、１−３−２−１−３−２−３である鍵１０と、を用いて解錠することが可能である。同様に、セキュリティレベル３、セキュリティレベル２、セキュリティレベル１と、セキュリティレベルが低次にいくに従って、０番タンブラー５０の枚数を増やし、０番タンブラー５０以外のタンブラー番号を高次のセキュリティレベルの錠前装置に合わせることで、鍵１０の属するセキュリティレベルと同一又はより低次のセキュリティレベルが設定された錠前装置が設けられた収納庫は、その鍵１０で解錠することが可能であるが、鍵１０の属するセキュリティレベルより高次のセキュリティレベルが設定された錠前装置が設けられた収納庫は、その鍵１０では解錠することが不可能なアクセス権管理システムを構築することが可能である。
【００５５】
即ち、従来、セキュリティレベルごとに異なる鍵１０を用意し、より高次のセキュリティレベルの錠前装置が設けられた収納庫を解錠する権限を与えられた個人は、高次のセキュリティレベルの錠前装置から、低次のセキュリティレベルの錠前装置まで、複数の鍵１０を管理する必要があったところ、本実施形態に拠れば、自己が権限を有するセキュリティレベルの鍵１０を１本だけ管理することで、自己が権限を有する全ての収納庫を解錠することが可能なアクセス権管理システムを構築することが可能となる。
【００５６】
なお、先述の通り、ｎ枚の０番タンブラー５０が設けられた場合、一つの共用の錠前装置に対して、最大３n種類の個人用の鍵１０を用意することが出来る。このため、各セキ
ュリティレベルに属する鍵１０の種類の数は、そのセキュリティレベルの錠前装置において使用される０番タンブラー５０の枚数がｎ枚であるとすると、３nからより高次のセキ
ュリティレベルに属する鍵１０の種類の数を除いた数となる。例えば、セキュリティレベル２に属する鍵１０の種類は、３3−３2、即ち、１８となる。但し、鍵溝番号の並びによっては、セキュリティ上好ましくない組み合わせや、鍵溝１２が摩耗し易い組み合わせがあるため、このような組み合わせの鍵１０は適宜除外されることが好ましい。
【００５７】
＜アクセス権管理システム：セキュリティレベルを設定したグループ利用＞
図１３は、本実施形態におけるアクセス権管理システムを、グループごとにセキュリティレベルを設定して利用することを目的に用いた場合の概略を示す図である。ここで、セキュリティレベルを設定したグループ利用とは、各個人用の収納庫を解錠するために用意された、各個人毎に異なる鍵を用いて、各個人にアクセス権が与えられたセキュリティレベル又はそれよりも低次のセキュリティレベルが設定された共用の収納庫を解錠可能とする利用方法をいう。
【００５８】
まず、共用の収納庫９１にセキュリティレベルを設定し、先述したセキュリティレベル
の設定方法と同様の方法で、共用の収納庫９１にセキュリティレベルごとに異なる錠前装置を設置する。例えば、セキュリティレベル３の共用の収納庫９１ｂにはタンブラー番号の組み合わせが３−１−１−０−３−０−３である錠前装置を設置し、セキュリティレベル２の共用の収納庫９１ａにはタンブラー番号の組み合わせが３−０−１−０−３−０−３である錠前装置を設置する。
【００５９】
ここで、個人用の収納庫９２ｄ、９２ｅ、９２ｆに設置する錠前装置のタンブラー番号の組み合わせを、前記共用の収納庫９１ａ、９１ｂに取り付ける錠前装置において０番以外のタンブラー４０が設けられたスロット２２についてはこれと同一にし、０番タンブラー５０が設けられたスロット２２については、１番から３番タンブラー４０のうちいずれかとする。例として、前記したタンブラー番号の組み合わせに対しては、タンブラー番号の組み合わせが３−１−１−２−３−１−３である錠前装置と、タンブラー番号の組み合わせが３−２−１−２−３−１−３である錠前装置と、タンブラー番号の組み合わせが３−３−１−２−３−１−３である錠前装置と、等を用いることが出来る。
【００６０】
これらの個人用の収納庫９２ｄ、９２ｅ、９２ｆの錠前装置に対応する鍵１０ｄ、１０ｅ、１０ｆのうち、鍵溝番号の組み合わせが３−１−１−２−３−１−３である鍵１０ｄは、タンブラー番号の組み合わせが３−１−１−２−３−１−３である錠前装置が設けられた収納庫９２ｄ、セキュリティレベル２の錠前装置が設けられた収納庫９１ａ、及びセキュリティレベル３の錠前装置が設けられた収納庫９１ｂ、を解錠することが出来る。これに対して、鍵溝番号の組み合わせが３−２−１−２−３−１−３である鍵１０ｅ及び３−３−１−２−３−１−３である鍵１０ｆは、対応する錠前装置が設けられた個人用の収納庫９２ｅ、９２ｆ、及びセキュリティレベル２の錠前装置が設けられた収納庫９１ａしか解錠することは出来ず、セキュリティレベル３の錠前装置が設けられた収納庫９１ｂを解錠することは出来ない。つまり、鍵１０の管理者は、自己の個人用の収納庫９２に備えられた錠前装置と、自己の管理する鍵１０のセキュリティレベルと同じ又はより低次のセキュリティレベルが設定された錠前装置が設けられた収納庫９１のみを解錠することが可能である。
【００６１】
即ち、従来、各個人用の収納庫と、セキュリティレベル毎に錠前装置の異なる収納庫等を管理しようとした場合、個人用の鍵に加え、セキュリティレベル毎の鍵を管理する必要があり、管理者に多大な負担を強いることとなっていたところ、本実施形態に拠れば、自己の個人用の収納庫９２と、自己がアクセス権を持つ共用の収納庫９１を、１本の鍵１０で解錠することが可能であり、且つ各鍵１０ごとに自由にセキュリティレベルを設定可能なアクセス権管理システムを構築することが可能となる。
【００６２】
なお、セキュリティレベルを設定したグループ利用の具体例として、共通書庫全体の扉をセキュリティレベル２に、共通書庫内の各職場単位で解錠可能とする扉をセキュリティレベル３に、共通書庫内の各職場内グループ単位の小書庫をセキュリティレベル４に設定し、各個人の机やロッカー等を解錠可能であると共に、各個人が権限を有する扉や書庫を解錠可能な鍵１０を各個人で管理するアクセス権管理システムがある。
【００６３】
＜アクセス権管理システム：集配システム＞
図１４は、本実施形態におけるアクセス権管理システムを、集配システムとして用いる場合の概略を示す図である。ここで、集配システムとは、集配人の管理する鍵１０ｉを用いて全ての個人の集配ロッカーを解錠可能であるが、個人の収納庫は解錠出来ず、個人の管理する鍵１０を用いて自己の管理する集配ロッカー及び個人の収納庫は解錠可能であるが、他人の管理する集配ロッカー及び収納庫は解錠出来ないシステムをいう。
【００６４】
図１５は、本実施形態におけるアクセス権管理システムを、集配システムとして用いた
場合の鍵１０の組み合わせを示す図である。ここで、集配人の管理する鍵１０ｉの鍵溝番号の組み合わせを、基本パターンと称する。集配ロッカー７０には、この基本パターンと同一の組み合わせのタンブラー番号の組み合わせのうち、少なくとも一つ以上を０番タンブラー５０とした錠前装置が設けられる。例えば、各集配ロッカー７０に設けられる錠前装置の０番タンブラー５０の枚数を３枚で統一した場合、図１５に示すように、基本パターンの鍵１０ｉを用いて係合を解除することが可能な錠前装置は３５種類用意出来る（7
Ｃ3＝３５。ｐ個のスロット２２を有する錠前装置において、ｎ枚のタンブラーを０番タ
ンブラー５０とする場合、一種類の鍵１０で係合解除が可能な錠前装置は、pＣn種類である。）。
【００６５】
ここで、各個人の管理する鍵１０として、各個人の集配ロッカー７０において０番タンブラー５０が設けられているスロット２２に対応する鍵溝１２を、１番から３番の鍵溝番号のうち基本パターンと同一でない鍵溝番号の鍵溝１２とすることで、各個人の管理する鍵１０で、自己の集配ロッカー７０は解錠可能であるが、他人の集配ロッカー７０は解錠出来ないようにすることが出来る。例えば、基本パターンが１−３−２−１−３−２−１であり、ある個人の集配ロッカー７０の錠前装置のタンブラー番号の組み合わせが１−３−２−１−０−０−０である場合、この集配ロッカー７０を管理する個人の鍵１０の鍵溝番号の組み合わせを、１−３−２−１−１−３−２等とする。この鍵１０を用いて、タンブラー番号の組み合わせが１−３−２−１−０−０−０である錠前装置を備えた集配ロッカー７０は解錠可能であるが、タンブラー番号の組み合わせが１−３−２−０−３−０−０である錠前装置を備えた集配ロッカー７０は解錠出来ない。５番スロットに設けられた３番タンブラー４０の係合を解除出来ないからである。
【００６６】
更に、上述の個人管理の鍵溝番号の組み合わせに対応する錠前装置が、個人管理の収納庫等に設けられた場合、個人は、集配ロッカー７０用の鍵１０を用いて個人の収納庫も解錠することが可能であるが、集配人は、個人管理の収納庫の解錠を行うことが出来ない。例えば、上述の鍵溝番号の組み合わせが１−３−２−１−１−３−２である鍵１０を管理する個人は、タンブラー番号の組み合わせが１−３−２−１−１−３−２である錠前装置が設けられた個人用の収納庫を解錠することが可能であるが、集配人の管理する鍵１０ｉの鍵溝番号の組み合わせは１−３−２−１−３−２−１であるため、集配人はこの収納庫の解錠を行うことが出来ない。
【００６７】
即ち、従来、上述のような集配システムを構築しようとした場合、集配人は集配ロッカーの数だけの鍵を管理する必要があり、また、集配人が個人用の収納庫を解錠出来ないようにするためには、集配ロッカーと個人用の収納庫の錠前装置を異なるものとする必要があり、各個人も複数の鍵を管理する必要があったところ、本実施形態に拠れば、集配人は一本の鍵１０ｉで全ての集配ロッカー７０が解錠可能であり、加えて、各個人も、集配ロッカー７０と個人用の収納庫のために複数の鍵１０を管理する必要の無いアクセス権管理システムを構築することが可能となる。
【００６８】
＜アクセス権管理システム：マスターキー＞
また、マスターキーの技術を利用することで、上述のアクセス権管理システムの全てを実施した上で、グループ、セキュリティレベル等に拘らず、アクセス権管理システムに属する全ての収納庫を解錠可能なマスターキーを提供することが可能となる。図１６は、本実施形態におけるマスターキーに対応する錠前装置に設けられるタンブラーを示す図である。図１６のａ図及びｂ図は、１番から３番タンブラー４０にマスターキーの鍵溝を読み取るマスターキー鍵溝読取部４６を設けた様子を示す図である。マスターキーを採用する場合、本実施形態において利用される全ての錠前装置に、図１６に示されるマスターキー鍵溝読取部４６を有する１番から３番タンブラー４０が設けられる。マスターキーは、通常の鍵１０において鍵溝１２が設けられている側面と反対の側面、即ち、本実施形態にお
いては、通常の鍵溝１２は鍵１０の挿入方向から見て右下に位置する側面に設けられるが、マスターキーの鍵溝は鍵１０の挿入方向から見て左下に位置する側面に設けられる。
【００６９】
このような構成とすることにより、マスターキーを鍵孔に挿入したとき、マスターキー鍵溝読取部４６がマスターキーの鍵溝で押圧され、１番から３番タンブラー４０と係合溝３１との係合が解除される。なお、本実施形態において、マスターキーの鍵溝は１番又は２番の深さを有し、マスターキー鍵溝読取部４６は、１番又は２番の高さを有する。マスターキー用の鍵溝及び鍵溝読取部４６は、通常の鍵溝１２及び読取部４５と同様に３段としてもよいし、他の段数を採用してもよい。鍵１０及び錠前装置の耐久性等を考慮して、実施の形態により適宜決定されることが好ましい。
【００７０】
なお、０番タンブラー５０は、鍵１０が挿入されているといないとに拘らず、係合溝３１と係合しないため、１番から３番タンブラー４０と異なり、マスターキー鍵溝読取部４６に類する構成を備える必要は無い。また、０番タンブラー５０はマスターキーの挿入時においても、マスターキーの鍵溝番号に拘らず外筒３０と係合しないことから、マスターキーについても、グループ利用やセキュリティレベルの設定を行い、複数の異なる鍵溝番号の組み合わせのマスターキーを階層的に管理することが可能である。
【００７１】
本実施形態に拠れば、挿入されている鍵１０の有する鍵溝１２のうち一部の鍵溝１２の形状に拘わらず、外筒３０と係合しない０番タンブラー５０を備えることで、従来の錠前装置及び錠前装置を利用したアクセス権管理システムの使用感及びセキュリティ強度を保ったまま、管理すべき鍵１０の本数を減らし、利便性を向上させることが可能となる。
【００７２】
＜本発明を適用可能な鍵及び錠前装置＞
図１７は、鍵１０の差込部１１の他の実施形態を示す図である。差込部１１は、鍵１０の挿入方向に沿った四辺部Ａ、Ｂ、Ｃ、Ｄに夫々異なる鍵溝番号の組み合わせを有することが可能である。四辺部Ａ、Ｂ、Ｃ、Ｄのうち２つ以上の辺部に鍵溝１２を設けることで、個人管理の鍵とマスターキーの併用鍵や、全く異なるタンブラー番号の組み合わせを持つ２つの錠前装置を解錠可能な併用鍵を提供することが可能となる。ここで、四辺部に設けられた鍵溝番号の組み合わせは、辺部Ａ及び辺部Ｄについて同一、辺部Ｂ及び辺部Ｃについて同一である。このようにすることで、鍵の挿入時に鍵の上下を気にすることなく解錠可能な鍵を提供することが可能となる。但し、辺部Ａと辺部Ｄとを異なる鍵溝番号の組み合わせとし、又は辺部Ｂと辺部Ｃとを異なる鍵溝番号の組み合わせとすることで、鍵の挿入時の上下によって異なる錠前装置を解錠可能としてもよい。
【００７３】
ここで、本発明に係る０番タンブラー５０を備えた錠前装置は、これら複数の鍵溝番号の組み合わせを有する併用鍵についても適用可能である。このような鍵と本発明に係る錠前装置とを組み合わせることで、より複雑なアクセス権管理システムを構成することが可能となる。例えば、鍵の挿入方向から見て右下に読取部４５を有する１番から３番タンブラー４０と０番タンブラー５０との組み合わせによる第一のアクセス権管理システムと、鍵の挿入方向から見て左下に読取部４５を有する１番から３番タンブラー４０と０番タンブラー５０との組み合わせによる第二のアクセス権管理システムと、を構築することが可能である。鍵を管理する個人は、辺部Ａ及び辺部Ｄに第一のアクセス権管理システムに対応する鍵溝１２、辺部Ｂ及び辺部Ｃに第二のアクセス権管理システムに対応する鍵溝１２を有する鍵を管理することで、２つの全く異なるアクセス権管理システムの夫々において、自己の有するアクセス権限に基づいた解錠を行うことが出来る。
【００７４】
＜０番タンブラーの他の実施形態＞
図１８は、他の実施形態における０番タンブラーが内筒に設けられた状態の概略を示す図である。図１８のａ図に示す０番タンブラー５０は、図３のｄ図及び図６に示す０番タ
ンブラー５０と同様に、上部突起５１、下部突起５２、スプリング５３、及び鍵１０を通すための鍵挿通孔５４を有する。ここで、図１８のａ図に示す０番タンブラー５０は、スプリングの取り付け位置が１番から３番タンブラー４０と同じであり、鍵１０が挿入されていない状態で、上部突起５１がスロット２２の淵に係り、０番タンブラー５０の上部が内筒２０から突出している。即ち、鍵１０が挿入されていない状態で、この０番タンブラー５０の突出した部分が外筒３０の係合溝３１に係合することで、内筒２０の回転を制限している。また、図１８のａ図に示す０番タンブラー５０は、１番から３番タンブラー４０と異なり、読取部を有さず、側部突起５６を有する。側部突起５６を有することで、０番タンブラー５０は、挿入された鍵１０の鍵溝１２が１番から３番の何れであっても、鍵１０の有する導入部１５によってガイド溝１４（図１９を参照）の溝内に側部突起５６が導入され、ガイド溝１４の側部によって側部突起５６が押圧されて内筒２０内に適正な距離だけ引き込まれ、係合が解除される。
【００７５】
図１８のｂ図に示す０番タンブラー５０は、図１８のａ図に示す０番タンブラー５０と同様に、上部突起５１、下部突起５２、スプリング５３、及び鍵１０を通すための鍵挿通孔５４を有する。ここで、図１８のｂ図に示す０番タンブラー５０は、スプリングの取り付け位置が１番から３番タンブラー４０と同じであり、鍵１０が挿入されていない状態で、上部突起５１がスロット２２の淵に係り、０番タンブラー５０の上部が内筒２０から突出している。即ち、鍵１０が挿入されていない状態で、この０番タンブラー５０の突出した部分が外筒３０の係合溝３１に係合することで、内筒２０の回転を制限している。また、図１８のｂ図に示す０番タンブラー５０は、１番から３番タンブラー４０と異なり、読取部を有さず、底部突起５７を有する。底部突起５７を有することで、０番タンブラー５０は、挿入された鍵１０の鍵溝１２が１番から３番の何れであっても、鍵１０の有する鍵底部１６（図１９を参照）に底部突起５７が押圧されて内筒２０内に適正な距離だけ引き込まれ、係合が解除される。
【図面の簡単な説明】
【００７６】
【図１】実施形態において使用される鍵の概略を示す図である。
【図２】実施形態における錠前装置の概略を示す図である。
【図３】実施形態における１番から３番タンブラー及び０番タンブラーの概略を示す図である。
【図４】実施形態における１番から３番タンブラーが内筒に設けられた状態の概略を示す図である。
【図５】実施形態における１番から３番タンブラーが内筒に設けられた状態の概略を示す図である。
【図６】実施形態における０番タンブラーが内筒に設けられた状態の概略を示す図である。
【図７】本実施形態における鍵が挿入されていないときの内筒の状態及び鍵が挿入されているときの内筒の状態の概略を示す図である。
【図８】実施形態におけるアクセス権管理システムを、グループ利用目的に用いる場合の概略を示す図である。
【図９】実施形態におけるノートＰＣ保管庫の概略を示す図である。
【図１０】実施形態におけるアクセス権管理システムを、グループ利用目的に用いる場合の鍵の組み合わせを示す図である。
【図１１】実施形態におけるアクセス権管理システムを、セキュリティレベルの設定を目的に用いた場合の概略を示す図である。
【図１２Ａ】実施形態におけるアクセス権管理システムを、セキュリティレベルの設定を目的に用いた場合の鍵の組み合わせを示す図である。
【図１２Ｂ】実施形態におけるアクセス権管理システムを、セキュリティレベルの設定を目的に用いた場合の鍵の組み合わせを示す図である。
【図１３】実施形態におけるアクセス権管理システムを、グループごとにセキュリティレベルを設定して利用することを目的に用いた場合の概略を示す図である。
【図１４】実施形態におけるアクセス権管理システムを、集配システムとして用いる場合の概略を示す図である。
【図１５】実施形態におけるアクセス権管理システムを、集配システムとして用いた場合の鍵の組み合わせを示す図である。
【図１６】実施形態におけるマスターキーに対応する錠前装置に設けられるタンブラーを示す図である。
【図１７】鍵の差込部の他の実施形態を示す図である。
【図１８】実施形態における０番タンブラーが内筒に設けられた状態の概略を示す図である。
【図１９】鍵の差込部の他の実施形態を示す図である。
【符号の説明】
【００７７】
１０  鍵
１１  差込部
１２  鍵溝
１３  把持部
１４  ガイド溝
１５  導入部
１６  鍵底部
２０  内筒
２１  鍵穴
２２  スロット
２３  移動体
２４  係止溝
３０  外筒
３１  係合溝
３２  係止片挿通孔
３３  係止片
３４  スプリング
４０  １番から３番タンブラー
４１  上部突起
４２  下部突起
４３  スプリング
４４  鍵挿通孔
４５  読取部
４６  マスターキー鍵溝読取部
５０  ０番タンブラー
５１  上部突起
５２  下部突起
５３  スプリング
５４  鍵挿通孔
５６  側部突起
５７  底部突起
６０  内筒交換用鍵
【図１】
2008057167.tif 000003
【図２】
2008057167.tif 000004
【図３】
2008057167.tif 000005
【図４】
2008057167.tif 000006
【図５】
2008057167.tif 000007
【図６】
2008057167.tif 000008
【図７】
2008057167.tif 000009
【図８】
2008057167.tif 000010
【図９】
2008057167.tif 000011
【図１０】
2008057167.tif 000012
【図１１】
2008057167.tif 000013
【図１２Ａ】
2008057167.tif 000014
【図１２Ｂ】
2008057167.tif 000015
【図１３】
2008057167.tif 000016
【図１４】
2008057167.tif 000017
【図１５】
2008057167.tif 000018
【図１６】
2008057167.tif 000019
【図１７】
2008057167.tif 000020
【図１８】
2008057167.tif 000021
【図１９】
2008057167.tif 000022
【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
鍵穴を有し、外筒内で回転することで解錠を行う内筒と、前記鍵穴に挿入される鍵の有する複数の鍵溝に対応する鍵溝読取位置に設けられ、前記鍵が挿入されていないときに前記外筒と係合するとともに、前記鍵が挿入されたときに該鍵の有する鍵溝によって押圧されることで該鍵溝の形状に応じて移動し、前記外筒との係合を解除する係合手段と、を備える第一の錠前装置を有し、施錠によってアクセスが制限される第一のアクセス制限対象と、
鍵穴を有し、外筒内で回転することで解錠を行う内筒と、前記鍵穴に挿入される鍵の有する複数の鍵溝に対応する鍵溝読取位置のうち一部の鍵溝読取位置に設けられ、前記鍵が挿入されていないときに前記外筒と係合するとともに、前記鍵が挿入されたときに該鍵の有する鍵溝によって押圧されることで該鍵溝の形状に応じて移動し、前記外筒との係合を解除する係合手段と、前記係合手段が設けられた一部の鍵溝読取位置を除く鍵溝読取位置に設けられ、前記鍵が挿入されたときに該鍵の有する鍵溝の形状に拘わらず前記外筒と係合しない非係合保持手段と、を備える錠前装置であって、前記第一の錠前装置の備える前記係合手段が設けられた鍵溝読取位置と対応する鍵溝読取位置のうち一つ以上に前記非係合保持手段が設けられた第二の錠前装置を有し、施錠によってアクセスが制限される第二のアクセス制限対象と、
を備え、
前記第二の錠前装置の備える係合手段と、前記第一の錠前装置の備える係合手段のうち前記第二の錠前装置の備える係合手段が設けられた鍵溝読取位置と対応する鍵溝読取位置に設けられた係合手段とが、同一の形状の鍵溝によって係合を解除することが可能な係合手段であること
を特徴とするアクセス権管理システム。
【請求項２】
前記第一のアクセス制限対象は個人用の収納庫であり、
前記第二のアクセス制限対象は共用の収納庫であり、
前記第二の錠前装置の備える係合手段と、前記第一の錠前装置の備える係合手段のうち前記第二の錠前装置の備える係合手段が設けられた鍵溝読取位置と対応する鍵溝読取位置に設けられた係合手段とが、同一の形状の鍵溝によって係合を解除することが可能な係合手段であることで、前記個人用の収納庫にアクセス可能な複数の異なる鍵を用いて、共用の収納庫へのアクセスを可能とする、
請求項１に記載のアクセス権管理システム。
【請求項３】
鍵穴を有し、外筒内で回転することで解錠を行う内筒と、前記鍵穴に挿入される鍵の有する複数の鍵溝に対応する鍵溝読取位置のうち一部の鍵溝読取位置に設けられ、前記鍵が挿入されていないときに前記外筒と係合するとともに、前記鍵が挿入されたときに該鍵の有する鍵溝によって押圧されることで該鍵溝の形状に応じて移動し、前記外筒との係合を解除する係合手段と、前記係合手段が設けられた一部の鍵溝読取位置を除く鍵溝読取位置に設けられ、前記鍵が挿入されたときに該鍵の有する鍵溝の形状に拘わらず前記外筒と係合しない非係合保持手段と、を備える錠前装置を利用するアクセス権管理システムにおいて、
前記錠前装置であって、所定の鍵を用いて前記係合手段による係合を解除することが可能な第一の錠前装置を有し、施錠によってアクセスが制限される第一のアクセス制限対象と、
前記錠前装置であって、前記第一の錠前装置の備える前記係合手段が設けられた鍵溝読取位置と対応する鍵溝読取位置のうち一つ以上に前記非係合保持手段が設けられた第二の錠前装置を有し、施錠によってアクセスが制限される第二のアクセス制限対象と、
を備え、
前記第二の錠前装置の備える係合手段と、前記第一の錠前装置の備える係合手段のうち前記第二の錠前装置の備える係合手段が設けられた鍵溝読取位置と対応する鍵溝読取位置に設けられた係合手段とが、同一の形状の鍵溝によって係合を解除することが可能な係合手段であること
を特徴とするアクセス権管理システム。
【請求項４】
前記第一のアクセス制限対象は、所定のセキュリティレベルが設定された収納庫であり、
前記第二のアクセス制限対象は、前記所定のセキュリティレベルより低次のセキュリティレベルが設定された収納庫であり、
前記第二の錠前装置の備える係合手段と、前記第一の錠前装置の備える係合手段のうち前記第二の錠前装置の備える係合手段が設けられた鍵溝読取位置と対応する鍵溝読取位置に設けられた係合手段とが、同一の形状の鍵溝によって係合を解除することが可能な係合手段であることで、前記所定のセキュリティレベルが設定された収納庫にアクセス可能な複数の異なる鍵を用いて、前記所定のセキュリティレベルより低次のセキュリティレベルが設定された収納庫へのアクセスを可能とする、
請求項３に記載のアクセス権管理システム。
【請求項５】
鍵穴を有し、外筒内で回転することで解錠を行う内筒と、前記鍵穴に挿入される鍵の有する複数の鍵溝に対応する鍵溝読取位置のうち一部の鍵溝読取位置に設けられ、前記鍵が挿入されていないときに前記外筒と係合するとともに、前記鍵が挿入されたときに該鍵の有する鍵溝によって押圧されることで該鍵溝の形状に応じて移動し、前記外筒との係合を解除する係合手段と、前記係合手段が設けられた一部の鍵溝読取位置を除く鍵溝読取位置に設けられ、前記鍵が挿入されたときに該鍵の有する鍵溝の形状に拘わらず前記外筒と係合しない非係合保持手段と、を備える錠前装置を利用するアクセス権管理システムにおいて、
前記錠前装置であって、所定の鍵を用いて前記係合手段による係合を解除することが可能な第一の錠前装置を有し、施錠によってアクセスが制限される第一のアクセス制限対象と、
前記錠前装置であって、前記第一の錠前装置の備える前記係合手段が設けられた鍵溝読取位置と対応する鍵溝読取位置のうち一つ以上に前記非係合保持手段が設けられ、前記第一の錠前装置の備える前記非係合保持手段が設けられた鍵溝読取位置と対応する鍵溝読取位置のうち一つ以上に前記係合手段が設けられた、第二の錠前装置を有し、施錠によって
アクセスが制限される第二のアクセス制限対象と、
を備え、
前記第二の錠前装置の備える係合手段及び前記第一の錠前装置の備える係合手段が、前記アクセス権管理システムにおいて一意に定められた基本形状の鍵溝によって係合を解除することが可能な係合手段であること
を特徴とするアクセス権管理システム。
【請求項６】
前記第一のアクセス制限対象及び前記第二のアクセス制限対象は、夫々集配用の収納庫であり、
前記第二の錠前装置の備える係合手段及び前記第一の錠前装置の備える係合手段が、前記基本形状の鍵溝によって係合を解除することが可能な係合手段であることで、前記基本形状の鍵溝を有し、集配人が管理する鍵を用いて、前記集配用の収納庫へのアクセスを可能とする、
請求項５に記載のアクセス権管理システム。
【請求項７】
前記係合手段は、弾性部材によって付勢されることで、前記鍵が挿入されていないときに前記外筒と係合するとともに、前記鍵が挿入されたときに該鍵の有する鍵溝によって前記弾性部材による付勢の方向と反対方向に押圧されることで該鍵溝の形状に応じて移動し、前記外筒との係合を解除するタンブラーであり、
前記非係合保持手段は、前記鍵が挿入されていないときに前記外筒と係合しない状態であり、前記鍵が挿入されたときに該鍵の有する鍵溝の形状に拘わらず該鍵溝による押圧を受けないことで移動せず、前記外筒と係合しない状態を保持する擬似タンブラーである、
請求項１から請求項６の何れかに記載のアクセス権管理システム。
【請求項８】
前記係合手段は、弾性部材によって付勢されることで、前記鍵が挿入されていないときに前記外筒と係合するとともに、前記鍵が挿入されたときに該鍵の有する鍵溝によって前記弾性部材による付勢の方向と反対方向に押圧されることで該鍵溝の形状に応じて移動し、前記外筒との係合を解除するタンブラーであり、
前記非係合保持手段は、弾性部材によって付勢されることで、前記鍵が挿入されていないときに前記外筒と係合するとともに、前記鍵が挿入されたときに該鍵の有する鍵底部又はガイド溝によって前記弾性部材による付勢の方向と反対方向に押圧されることで移動し、前記外筒との係合を解除する擬似タンブラーである、
請求項１から請求項６の何れかに記載のアクセス権管理システム。
【請求項９】
前記係合手段は、弾性部材によって付勢されることで、前記鍵が挿入されていないときに前記外筒と係合するとともに、前記鍵が挿入されたときに該鍵の有する鍵溝によって前記弾性部材による付勢の方向と反対方向に押圧されることで該鍵溝の形状に応じて移動し、前記外筒との係合を解除するタンブラーであり、
前記非係合保持手段は、前記タンブラーと同等の構成を有するタンブラーが設けられていないことで、前記鍵が挿入されていないときに前記外筒と係合しない状態であり、前記鍵が挿入されたときに該鍵の有する鍵溝の形状に拘わらず該鍵溝による押圧を受けないことで移動せず、前記外筒と係合しない状態を保持する、
請求項１から請求項６の何れかに記載のアクセス権管理システム。
【請求項１０】
前記内筒の側面に設けられた係止溝と、
鍵穴に挿入された内筒交換用鍵によって押圧されることで前記内筒から外筒方向へ前記係止溝内を移動する移動体と、
を更に備え、
前記内筒は、前記内筒交換用鍵が挿入されていない状態で、外筒に備えられた係止片が前記係止溝内に入ることによって外筒から取り外し不可能であり、前記内筒交換用鍵が挿
入されている状態で、該内筒交換用鍵によって押圧されて移動した前記移動体によって前記係止片が係止溝から押し出されることで、外筒から取り外し可能であること
を特徴とする請求項１から請求項９の何れかに記載のアクセス権管理システム。
【手続補正３】
【補正対象書類名】明細書
【補正対象項目名】００２８
【補正方法】変更
【補正の内容】
【００２８】
更に、本発明は、先述の非係合保持手段を備える錠前装置を利用するアクセス権管理システムにおいて、前記錠前装置であって、所定の鍵を用いて前記係合手段による係合を解除することが可能な第一の錠前装置を有し、施錠によってアクセスが制限される第一のアクセス制限対象と、前記錠前装置であって、前記第一の錠前装置の備える前記係合手段が設けられた鍵溝読取位置と対応する鍵溝読取位置のうち一つ以上に前記非係合保持手段が設けられ、前記第一の錠前装置の備える前記非係合保持手段が設けられた鍵溝読取位置と対応する鍵溝読取位置のうち一つ以上に前記係合手段が設けられた、第二の錠前装置を有し、施錠によってアクセスが制限される第二のアクセス制限対象と、を備え、前記第二の錠前装置の備える係合手段及び前記第一の錠前装置の備える係合手段が、前記アクセス権管理システムにおいて一意に定められた基本形状の鍵溝によって係合を解除することが可能な係合手段であることを特徴とするアクセス権管理システムである。